(57)【要約】      （修正有）【課題】きわめて薄い紙質の少ないペ−ジ数でも、書類にスム−ズにクリップがさし込まれ，且つクリップから書類がズレ落ちない文具用のクリップを提供する。【解決手段】金属薄板バネ材でなる略三角筒状クリップ本体１の一角が均等分割で、其の双方の折り曲げられた接合辺２が、クリップ本体１の持つ所定の弾発力で通常閉成体でなり該接合辺２は、書類３の差し込み自在に開口し、書類３を挟み、綴じ込み可能なクリップＡにおいてその折り曲げられた接合辺２の双方、或いは片方に沿うって、少なくとも１個或いは数個の突状４を設け、これらの突状４が、接合辺２に差し込まれた書類３の紙面を押し圧ｃ挟着によって，書類３がズレ落ちないようなクリップＡを構成する。【選択図】図１
0003123472.tif 000002
【実用新案登録請求の範囲】
【請求項１】
金属薄板バネ材でなる略三角筒状クリップ本体（１）の一角が均等分割で、其の双方の折り曲げられた接合辺（２）が、クリップ本体（１）の持つ所定の弾発力で通常閉成体でなり該接合辺（２）は、書類（３）の差し込み自在に開口し、書類（３）を挟み、綴じ込み可能なクリップ（Ａ）においてて、その折り曲げられた接合辺（２）の双方或いは片方に沿うって、少なくとも１個或いは数個の突状（４）を設け、これらの突状（４）が、接合辺（２）に差し込まれた書類（３）の紙面を押し圧ｃ挟着によって書類（３）の滑り止め、可能にした事を特徴とするクリップ（Ａ）。
【請求項２】
前記する接合辺（２）の片方に設けた少なくとも１個或いは数個の突状（４）が、それに係合する凹状（５）を、他の片方の接合辺（２）に設けた事を特徴とする請求項１記載のクリップ（Ａ）
【考案の詳細な説明】
【技術分野】
【０００１】この考案は、書類等の紙類を挟む為の文具用品のクリップに関し、詳しくは少ない枚数の書類を弱い弾発力で挟み込み、挟み込んだ書類がクリップから離脱することのないクリップの改良に関する。
【背景技術】
【０００２】この種の従来の技術として、一般的に知られる文具用品でのクリップ２Ａは、図６及び図７で述べるように、金属薄板バネ材でなるクリップ本体１０１の三角筒状の底辺に相当する基部１００での２辺の曲げ角１０ａは鋭角に曲げられその三角筒状の頂点となる一角が均等分割で、その双方がやや傾斜に折り曲げられた折合辺１０２を構成するが、それらの双方の接合辺１０２同志は、基部１００での曲げ角１０ａの鋭角曲げの度合いにより接合辺１０２はバネ材での弾発力をうけ常時押し圧ｃを受けながら双方が密着閉成体での接合辺１０２を構成することで、接合辺１０２に差し込まれた書類３が綴じこまれる。【０００３】そして又これらのクリップ本体１０１の両面には、細長い突状の指掛け部１０ｂが設けられて、且つ接合辺１０２の両サイド近部はやや出っ張った形状で、これらの飛び出し１０ｃは、クリップを書類に差し込む際に使うクリップ綴じ器に収納する際、そのクリップ綴じ器の具備する飛び出しレールに結合する際に使われる飛び出し１０ｃとされる。（クリップ綴じ器は図示せず）【０００４】この様に構成するクリップ２Ａは、図７で述べるように書類３を数枚重ね綴じするのに、クリップ本体１０１の双方の折り曲げられて開口自在でなる接合辺１０２を書類３サイドに向けて，クリップ綴じ器を使って差し込む事で書類３はクリップ２Ａで綴じこまれ、接合辺１０２の押し圧ｃをうけてバラけることなく書類３を挟着することができる構成である。
【考案の開示】
【考案が解決しようとする課題】
【０００５】しかしながら，上記する従来技術の場合は、綴じる書類３の枚数が少なくなるに従い書類３を押し圧ｃする接合辺１０２のバネ圧が弱まる為に，書類の持ち運びや，テ−ブルに積み上げたこれらの書類３の取り出しなどの際にクリップ２Ａのゆるみや脱落などで書類３がバラけるなどの課題がある。【０００６】また常時押し圧ｃを受けながら双方の接合辺１０２は密着閉成体での、その押し圧ｃを当初から強めてあるクリップ本体１０１にすると、挟み込む書類３の枚数を増やすに従い開口する接合辺１０２の押し圧ｃが強すぎてしまい，クリップ２Ａが書類３に食いついたり，或いは書類３のクリップ２Ａ外しに指先を痛めてしまうなどの課題がある。【０００７】何れにせよ、この種のクリップ２Ａは接合辺１０２の全開きと最小開きとの書類３の押し圧ｃ差が大きいため，最小開きでの弱い押し圧ｃで綴じた書類３でもバラけることのない接合辺１０２の改良が強く要望されていた。
【課題を解決するための手段】
【０００８】この考案はかかる欠点ともなる課題を解決するために請求項１を図１，図２，図３、で述べるに，金属薄板バネ材でなる略三角筒状クリップ本体１の一角が均等分割で，その双方が外向きに折り曲げられて、書類３のさし込みを容易にした接合辺２が，クリップ本体１の持つ所定の弾発力で通状閉成体でなり，該接合辺２は，書類のさし込み自在に開口し、書類３の挟み綴じ可能なクリップＡで，書類３をさし込むのに呼び込み容易に外向きに双方をやや傾斜して折り曲げられた折合辺２の双方或いは片方に沿うって，少なくとも１個或いは数個の突状４を設け、これらの突状４が，接合辺２からさし込まれた書類３の紙面に侠着押し圧ｃがはたらき、書類３に突状が働き、接合辺２からの書類３のズレ落ちを防止可能にする構成である。
即ち書類３の紙面に点の集中押し圧ｃをかけて，紙面の滑りを防止する仕組みにすることで解決するものである。【０００９】次に請求項２を図４、図５、で述べるに前記する接合辺２の片方に設けた１個或いは数個の突状４が、それに係合する凹状５を他の片方の接合辺２に符号して設けた構成にし、書類３のズレ落ちを防止可能する仕組みにする事で解決するものである。
【考案の効果】
【００１０】本考案は上述の様に構成作用するので次の優れた効果を奏する。即ち請求項１で述べる様に、綴じ込む書類が少ない数枚でも、書類にさし込まれるクリップの接合辺に設けた突状が紙面にわずかながら食い込み挟み込まれることで，綴じ込む書類の分量に関係なく、クリップから書類がズレ落ちたりすることのない安全なクリップを提供出来る。【００１１】又請求項２で延べる様に、双方の接合辺に設けた突状とそれに係合する凹状との間に書類が挟み込まれることで，少ない枚数の綴じ込みだけでなく，格別に薄手の紙質などの綴じ込みもズレ落ちたりすることのないクリップを提供出来る。
【考案を実施するための最良の形態】
【００１２】以下に図示の実施例に基づいて本考案を更に詳細に説明する。
図１は本考案での第一実施例での全体を示す斜視図で、図２は図１での略三角筒状でのクリップ本体１の縦断面図を示し，更に図３は図１での略三角筒状でのクリップ本体１に書類３をさし込んだ使用例での縦断面図であり、これらのクリップ本体１は，薄いバネ製金属材で，多くはステンレスバネ材が使われ，略三角筒状で基部１ａの両角は均等に鋭角に折り曲げられ，両辺の交じ合う一角である頂点は、２分割で其の双方がやや外向きに傾斜し折り曲げられ，書類３の呼び込み、さし込み易い接合辺２からなり，これらのクリップ本体１に押し圧ａを矢印方向に付加することで通常閉成体の双方の接合辺２が開口し、書類３にさし込まれるが，双方の接合辺２は押し圧ｃを矢印方向に受けながら綴じ込みが行われ書類３がホ−ルドされる。【００１３】そしてこれらのクリップ本体１は，大，中，少様様なサイズの選択が出来る形状からなり、このクリップ本体１の接合辺２の双方に１個或いは数個の極小さな突状４を設けるが，本実施例では双方の接合辺２に沿うって２個の突状４が対向して設けた引例を示すが，双方の突状４が対向せずに、ちぐはぐにズラす等でも良く更には、双方の接合辺２のいずれかの片方のみに突状４を設けても良く、第一実施例では接合辺２に突状４を設けて書類面にこの突状４を突き当てることで，数枚の書類をも完璧に滑ることなく挟み込む構成を狙いとするものである。【００１４】次に図４は本考案での第二実施例での書類３を挟み込む寸前のクリップＡの縦断面図で、図５は同じく第二実施例での書類３がクリップＡに綴じ込まれた使用例での縦断面図であり、これらのクリップ本体１の双方の接合辺２の何れか片方の接合辺２に沿うって小さな突状４を設け，他の片方の接合辺２に前記突状４に係合する凹状５を設けることで，これらの接合辺２にさし込まれた書類３がかなり少ない枚数或いは比較的薄い紙でのクリップＡ止めも突状４と凹状５との間に侠着することで容易に書類３がクリップＡから脱落することのない構成で、この実施例は薄く少ない紙を綴じるのに最適な構成である。
【図面の簡単な説明】
【００１５】
【図１】  本考案に係わる第一実施例での全体斜視図である。
【図２】  本考案に係わる第一実施例での縦断面図である。
【図３】  本考案に係わる弟一実施例での使用例での縦断面図である。
【図４】  本考案に係わる第二実施例での使用例での要部縦断面図である。
【図５】  本考案に係わる第二実施例での使用例での要部縦断面図である。
【図６】  従来技術での全体斜視図である。
【図７】  従来技術での使用例での縦断面図である。
【符号の説明】
【００１６】  Ａ，２Ａ        クリップ
１，１０１      クリップ本体
２，１０２      接合辺
３              書類
４              突状
５              凹状
ａ              さし込み圧
ｂ              開口圧
ｃ              押し圧
１００，１ａ    基部
１０ａ          コ−ナ−
１０ｂ          指掛け部
１０ｃ          飛び出し
【図１】
0003123472.tif 000003
【図２】
0003123472.tif 000004
【図３】
0003123472.tif 000005
【図４】
0003123472.tif 000006
【図５】
0003123472.tif 000007
【図６】
0003123472.tif 000008
【図７】
0003123472.tif 000009